(57)【要約】【課題】床施工時の雨漏れなどによる床下地材の木口からの吸水を防止し、床下地材の寸法変化や床板の変色を防止する。【解決手段】基板の少なくとも隣り合う二辺の木口に、該木口の上端から下方にかけて防湿性と弾力性を兼ね備えた軟質材料１９ａ，１９ｂが設けられた床下地材１５を用い、この床下地材の木口同士を突き合わせ、その突き合わせ部に設けた軟質材料が圧縮された状態で床下地材を固定して床下地構造２６が得られる。基材の長手方向に延長する雄実１６が形成されている場合、その上方の木口面部に軟質材料１９ａを接着すると共に、短手方向についてはその全面に軟質材料１９ｂを接着することが好ましい。圧縮状態で密接する軟質材料によって木口からの水の浸透が防止され、吸水による床下地材の寸法変化やその上に施工される床板の変色を防止することができる。【選択図】図９
2008184859.tif 000002
【特許請求の範囲】
【請求項１】
基板の少なくとも隣り合う二辺の木口に、該木口の上端から下方にかけて防湿性と弾力性を兼ね備えた軟質材料が設けられてなることを特徴とする床下地材。
【請求項２】
長手方向に沿う一方の木口に雄実、他方の木口に雌実が設けられた基板を使用する床下地板において、この基板の四周木口に防水層が設けられると共に、雄実の上方にある木口面部およびこの雄実に隣り合う一方の木口において該雄実上方の木口面部に対応する木口面部に、各々防水性と弾力性を兼ね備えた細長状の軟質材料が設けられてなることを特徴とする床下地材。
【請求項３】
請求項１または２記載の床下地材の木口同士を突き合わせ、その突き合わせ部に設けた軟質材料が圧縮された状態で床下地材が固定されてなることを特徴とする床下地構造。
【発明の詳細な説明】
【技術分野】
【０００１】
本発明は、床下地材および該床下地材を構造材に施工してなる床下地構造に関する。
【背景技術】
【０００２】
建築途中の住宅の居室などにおいて床板（フローリング）を施工する際には、根太上に床下地材を施工した後、該床下地材上に各種床材を敷設することが行われている。
【０００３】
従来の床下地材としては、下記特許文献１に記載されたものが知られている。この床下地材は、合板の裏面に木質繊維板を介して防湿気密シートを接着して、木質繊維板の硬質層を防湿気密層と接するようにして構成されている。そして、この床下地材の防湿気密シートが床下側となるように構造材に施工して床下地構造を得る。
【０００４】
これによれば、防湿気密シートが床下側からの湿気を遮断して、その上に位置する合板および木質繊維板が高含水率になることが防止されるため、これらの吸湿による寸法変化が防止され、床に不陸や波打ちなどが発生することを防止すると共に、その上に敷設される床板の変色を防止することができる。
【０００５】
また、合板および木質繊維板が低含水率に維持されるので、腐朽菌の繁殖・増殖を抑制して床下地板の腐朽を防止し、白アリなどによる食害も防止することができる。
【特許文献１】特開２００１−２０７５５６号公報
【発明の開示】
【発明が解決しようとする課題】
【０００６】
特許文献１記載の床下地材において、木口にも防湿気密シートを設けた実施形態も提案されている（図３，図４）が、防湿気密シートが完全に接着されていないと、床施工時の雨漏れなどで木口からの吸水によって合板や木質繊維板の含水率が高くなり、床下地材の寸法変化や床板の変色を生じさせる一因となる。特に、床下地材の木口に連接用の実が形成されている場合は、木口を完全に覆うように防湿気密シートを接着することが困難であり、上記の課題が顕在化する。
【０００７】
したがって、本発明が解決しようとする課題は、床施工時の雨漏れなどによる床下地材の木口からの吸水を防止し、床下地材の寸法変化や床板の変色を防止することにある。
【課題を解決するための手段】
【０００８】
請求項１に係る本発明は、基板の少なくとも隣り合う二辺の木口に、該木口の上端から下方にかけて防湿性と弾力性を兼ね備えた軟質材料が設けられてなることを特徴とする床下地材であり、これによって上記課題を解決する。
【０００９】
請求項２に係る本発明は、長手方向に沿う一方の木口に雄実、他方の木口に雌実が設けられた基板を使用する床下地板において、この基板の四周木口に防水層が設けられると共に、雄実の上方にある木口面部およびこの雄実に隣り合う一方の木口において該雄実上方の木口面部に対応する木口面部に、各々防水性と弾力性を兼ね備えた細長状の軟質材料が設けられてなることを特徴とするものであり、これによって上記課題を解決する。
【００１０】
請求項３に係る本発明は、請求項１または２記載の床下地材の木口同士を突き合わせ、その突き合わせ部に設けた軟質材料が圧縮された状態で床下地材が固定されてなることを特徴とする床下地構造であり、これによって上記課題を解決する。
【発明の効果】
【００１１】
請求項１に係る本発明によれば、床下地材の基板の少なくとも隣り合う二辺の木口に、該木口の上端から下方にかけて防湿性と弾力性を兼ね備えた軟質材料が設けられているので、この床下地材の木口同士を突き合わせたときに軟質材料が圧縮された状態となって密着する。したがって、床施工中に雨漏れなどによって床下地材の突き合わせ部（継目）に水が侵入しても、木口からの水の浸透が防止され、吸水による床下地材の寸法変化やその上に施工される床板の変色を防止することができる。
【００１２】
請求項２に係る本発明によれば、長手方向に沿う一方の木口に雄実、他方の木口に雌実が設けられた基板を使用する床下地板において、この基板の四周木口に防水層が設けられると共に、雄実の上方にある木口面部およびこの雄実に隣り合う一方の木口において該雄実上方の木口面部に対応する木口面部に、各々防水性と弾力性を兼ね備えた細長状の軟質材料が設けられているので、この床下地材の木口同士を突き合わせたときに軟質材料が圧縮された状態となって密着する。したがって、床施工中に雨漏れなどによって床下地材の突き合わせ部（継目）に水が侵入しても、まず防水層によって木口からの水の浸透が防止され、さらに互いに密着した状態の軟質材料によっても木口からの水の浸透が防止され、かつ密着した状態の軟質材料の下側の木口や実表面に水が浸入しないので、吸水による床下地材の寸法変化やその上に施工される床板の変色を防止することができる。
【００１３】
請求項３に係る本発明によれば、請求項１または２記載の床下地材の木口同士を突き合わせ、その突き合わせ部に設けた軟質材料が圧縮された状態で床下地材が固定されて床下地構造が得られるので、前述のようにして木口からの水の浸透が防止されるので、吸水による床下地材の寸法変化やその上に施工される床板の変色を防止することができる。
【００１４】
本発明における床下地材は、床板（フローリング）の下に施工され、床板にかかる荷重を支え、梁、胴差しなどに伝達する構造部材として使用されるものである。床下地材は、合板、ＭＤＦ、集成板または異種木質材張り合わせ材料などを基板とする。
【００１５】
床下地材の寸法は限定的ではないが、例を挙げれば、幅（短手方向寸法）Ｗ＝９１０または１０００ｍｍ、長さ（長手方向）Ｌ＝１８２０または２０００ｍｍで、厚さＨ＝２４または２８ｍｍなどがある。形状としては平面視矩形であるが、連接用に長手方向に延長する実を設けたものもある。樹種としては針葉樹であるラーチ、ラジアータ、ラワン、スギ、アカマツ、カラマツの単一樹種材またはこれら異樹種複合材などである。
【００１６】
軟質材料は、基材の隣り合う木口（一つの長手方向木口と一つの短手方向木口）に設けることが必須であるが、基材の四周に設けても良い。木口に防水層を設けない場合（図１〜６，９）は軟質材料を木口の上端から下方にかけて、好ましくは木口の全面に設けると良い。木口に防水層を設ける場合（図７，８，１０）は軟質材料を木口に塗布してから、軟質材料周りの防水層を木口に塗布すると良い。
【００１７】
軟質材料は防湿性と弾力性を兼ね備えたものであって、たとえばポリエチレン、ポリプロピレン、ポリオレフィン、シリコン、ウレタンなどの合成樹脂または天然ゴムであるが、これら材料の独立発泡体が好ましい。また、軟質材料としてホットメルトを利用しても良い。軟質材料が独立発泡体の場合、発泡倍率は、１０〜６０倍、好ましくは２０〜４５倍のものを使用すると良い。発泡倍率が１０倍未満のものは軟質材料の弾力性が小さく圧縮させにくいので床下地材の敷設に際して位置決めが難しく施工性が悪い。発泡倍率が６０倍を超えるものは軟質材料の弾力性が大き過ぎるので、圧縮させたときの反発力が小さく床下地材木口に対する密着性が小さくなり、床下地材木口からの水の浸透のおそれがある。また、軟質材料は、床下地材の施工に際して、床下地材同士の間（継目部分）で圧縮された状態で使用されるが、この場合、施工後の軟質材料の厚さは、圧縮される前の当初厚さの１０〜９０％とする。
【００１８】
軟質材料を基板の木口に接着する場合は、細長板状または細長状（または紐状ないしコード状）とする。細長板状の軟質材料の厚さとしては０．５〜５ｍｍ程度である。細長状軟質材料としては０．５〜５ｍｍ径またはこれ相当の断面大きさとする。
【００１９】
ホットメルトを利用する場合は、たとえばスチレン・ブタジエン・スチレンブロック共重合体（ＳＢＳ）、スチレン・ブタジエン・ラバー（ＳＢＲ）、シリコン樹脂などのホットメルトで軟質材料を形成する。ホットメルトを基板の木口に設ける方法（ホットメルト法）によるときは、スチレン・ブタジエン・スチレンブロック共重合体（ＳＢＳ）、スチレン・ブタジエン・ラバー（ＳＢＲ）、シリコン樹脂などの熱可塑性樹脂を加熱溶融させたものを基板の木口に塗布する。あるいは、常温のスチレン・ブタジエン・ラバー（ＳＢＲ）やシリコン樹脂などを酢酸ビニル樹脂などの軟質材用接着剤で貼着して設けても良い。
【００２０】
請求項２の床下地材において、防水層は基材の四周木口に設けられる。実を有する基板の場合は、実の表面にも防水層が設けられる。防水層は防水性を発揮する層であれば特にその材料や形成方法に限定はないが、たとえばウレタン、メタクリル、ポリウレタン、エポキシなどの樹脂系防水シーラーの塗布、樹脂含浸紙（ポリサンド紙）の貼着、あるいは石油ワックス、特に炭素数分布約２０〜４０、分子量約３００〜５５０の炭化水素より成るパラフィンワックスの塗布などにより形成することができる。パラフィンワックスは、防湿性および防水性を有し、常温で固体であり、４０〜７０℃程度の温度で溶融するものを用い、これを溶融した状態で木口に塗布して防水層とすると良い。
【発明を実施するための最良の形態】
【００２１】
以下に実施例を示して本発明をより具体的に説明するが、本発明はこれら実施例に限定されるものではなく、特許請求の範囲の記載により定義される発明の範囲内において多くの具体的形態を取り得る。
【実施例１】
【００２２】
図１および図２に示される実施例１の床下地材１０は、幅Ｗ＝９１０（または１０００）ｍｍ、厚さＨ＝２４（または２８）ｍｍの針葉樹合板を基板１１とし、その長手方向および短手方向の隣り合う２辺の木口に、細長板状で厚さｔ０＝１ｍｍ前後、高さＨ＝２４（または２８）ｍｍのポリエチレン独立発泡体（軟質材料）１２ａ，１２ｂが接着されている。ポリエチレン独立発泡体１２ａ，１２ｂは基板１１の木口の上端から下端まで全面を覆っている。
【実施例２】
【００２３】
図３に示される実施例２の床下地材１３は、実施例１と同じ基板１１の四周木口に、細長板状で厚さｔ０＝１ｍｍ前後のポリエチレン独立発泡体（軟質材料）１２ａ，１２ｂが接着されている。さらに、基板１１の表裏面に、樹脂含浸紙（ポリサンド紙）の貼着または樹脂系防水シーラーの塗布による防水層１４が形成されている。その他の構成と作用は実施例１と同じである。
【実施例３】
【００２４】
図４および図５に示される実施例３の床下地材１５は、雄実１６と雌実１７が形成された基板１８を用いたものである。雄実１６と雌実１７は基板１８の長手方向に延長して対向する２辺に形成され、短手方向には実が形成されていない。この基板１８において、雄実１６の上方の木口面部（木口の上端から雄実の基端までの木口面）に軟質材料１９ａが接着されると共に、短手方向木口の全面に（雌実の端をも塞ぐように）軟質材料１９ｂが接着されている。軟質材料１９ａ，１９ｂはいずれも細長板状で厚さｔ０＝１ｍｍ前後のポリエチレン独立発泡体よりなる。その他の構成と作用は実施例１と同じである。
【実施例４】
【００２５】
図６に示される実施例４の床下地材２０は、実施例３と同じ基板１８を用い、その雄実１６の上方木口面部と短手方向木口全面に同様に軟質材料１９ａ，１９ｂを接着したものにおいて、さらに、基板の表裏面に樹脂含浸紙（ポリサンド紙）の貼着または樹脂系防水シーラーの塗布による防水層２１が形成されている。その他の構成と作用は実施例３と同じである。
【実施例５】
【００２６】
図７および図８に示される実施例５の床下地材２２は、実施例３と同じ基板１８を用い、その四周木口に防水層２３が形成され、さらに、その長手方向雄実１６の上面と木口との角から短手方向木口にかけて、断面円形（径Ｄ）のホットメルトによるパッキン（軟質材料）２４が付着されている。さらに、基板１８の表裏面に、樹脂含浸紙（ポリサンド紙）の貼着または樹脂系防水シーラーの塗布による防水層１４が施されている。その他の構成と作用は実施例３，４と同じである。
【実施例６】
【００２７】
梁２５の上に実施例３の床下地材１５，１５（図４，図５）を施工した床下地構造２６が図９に示されている。この床下地構造２６における床下地材１５，１５上に床板（フローリング、図示せず）が張られる。
【００２８】
この床下地構造２６において、一方の床下地材１５の長手方向に延長する雄実１６の上方木口面に接着された軟質材料１９ａおよび短手方向木口全面に接着された軟質材料１９ｂは、いずれも圧縮された状態で、他方の床下地材１０の木口に密接している。すなわち、床下地構造２６として施工後の軟質材料１９ａ，１９ｂの厚さｔは、床下地材１５の木口に粘着された当初の厚さｔ０より小さくなっている。施工後の厚さｔは当初厚さｔ０の凡そ１０〜９０％である。
【実施例７】
【００２９】
梁２５の上に実施例５の床下地材２２，２２（図７，図８）を施工した床下地構造２７が図１０に示されている。この床下地構造２７における床下地材２２，２２上に床板（フローリング、図示せず）が張られる。
【００３０】
この床下地構造２７において、一方の床下地材２２の長手方向に延長する雄実１６の上面と木口との角から短手方向木口にかけて付着されたパッキン２４は、圧縮されて潰れたた状態で、他方の床下地材１０の木口に密接している。すなわち、床下地構造２７として施工後のパッキン２４の厚さｔ’は、床下地材２２の木口に付着された当初の径Ｄより小さくなっている。施工後の厚さｔ’は当初径Ｄの凡そ１０〜９０％である。
【図面の簡単な説明】
【００３１】
【図１】本発明の実施例１による床下地材の斜視図である。
【図２】この床下地材のＡ矢視図である。
【図３】本発明の実施例２による床下地材の斜視図である。
【図４】本発明の実施例３による床下地材の斜視図である。
【図５】この床下地材のＢ矢視図である。
【図６】本発明の実施例４による床下地材の斜視図である。
【図７】本発明の実施例５による床下地材の斜視図である。
【図８】この床下地材のＣ矢視図である。
【図９】実施例３による床下地材を用いた床下地構造の長手方向断面図（Ａ）および短手方向断面図（Ｂ）である。
【図１０】実施例５による床下地材を用いた床下地構造の短手方向断面図である。
【符号の説明】
【００３２】
１０，１３，１５，２０，２２  床下地材
１１，１８  基板
１２ａ，１２ｂ，１９ａ，１９ｂ  ポリエチレン独立発泡体（軟質材料）
１４，２１，２３  防水層
１６  雄実
１７  雌実
２４  パッキン（軟質材料）
２５  梁
２６，２７  床下地構造
【図１】
2008184859.tif 000003
【図２】
2008184859.tif 000004
【図３】
2008184859.tif 000005
【図４】
2008184859.tif 000006
【図５】
2008184859.tif 000007
【図６】
2008184859.tif 000008
【図７】
2008184859.tif 000009
【図８】
2008184859.tif 000010
【図９】
2008184859.tif 000011
【図１０】
2008184859.tif 000012